(57)【要約】【課題】注文品の進捗状況を互いに確認し合いながら表示状態を変化させて、注文ミスを低減して迅速な注文品の提供を可能とするオーダ表示システムを提供する。【解決手段】このオーダ表示システム１００は、注文品に関して入力された注文品情報に基づいて注文品を発注する券売機１０、１１と、券売機１０、１１から出力された注文品情報を個別に表示する複数の表示部を調理の優先順位順に配列した調理側注文表示器１、及び配膳側表示器２と、各注文表示器１、２を構成する各表示部に同一順序にて同一の注文品に付いての情報を夫々表示すると共に優先順位にある表示部に表示された注文品情報が消去されたときに次順位の表示部に表示された注文品情報を優先順位にある表示部に順次昇格させるように表示変更を行う注文表示制御ＰＣ９と、を備えて構成されている。【選択図】図１
2008257556.tif 000002
【特許請求の範囲】
【請求項１】
注文品についての情報に基づいて調理と配膳の各進捗状況を表示するオーダ表示システムであって、
前記注文品に関して入力された注文品情報に基づいて注文品を発注する発注装置と、前記発注装置から出力された前記注文品情報を個別に表示する複数の表示部を調理の優先順位順に夫々配列した調理側注文表示器、及び配膳側注文表示器と、前記各注文表示器を構成する各表示部に同一順序にて同一の注文品に付いての情報を夫々表示すると共に優先順位にある特定の表示部に表示された注文品情報が消去されたときに次順位の表示部に表示された注文品情報を該優先順位にある表示部に順次昇格させるように表示変更を行う制御手段と、を備え、
前記制御手段は、前記調理側注文表示器に設けた上位の優先順位を示す上位の表示部が前記上位の優先順位にある注文品の調理終了を示す表示状態に移行したときに、前記配膳側注文表示器に設けた対応する上位の表示部は上位の優先順位にある注文品の調理終了を表示する一方で、該配膳側注文表示器に設けた上位の表示部の注文品情報が消去操作された際には次順位の注文品情報を昇格表示させ、この際、前記調理側注文表示器の前記上位の表示部の対応する注文品情報を直ちには消去せずに配膳が完了したことのみを表示するように制御することを特徴とするオーダ表示システム。
【請求項２】
配膳完了表示状態にある前記調理側注文表示器の上位の表示部を操作することにより、前記調理側注文表示器の次順位の表示部に表示されていた注文情報を前記上位の表示部に昇格表示させることを特徴とする請求項１に記載のオーダ表示システム。
【請求項３】
前記調理側注文表示器、及び配膳側注文表示器に設けられた表示部を操作することにより、該表示部の表示色を操作手順に応じた色に変化させることを特徴とする請求項１又は２に記載のオーダ表示システム。
【請求項４】
前記表示部は、タッチパネルにより構成されていることを特徴とする請求項１、２又は３に記載のオーダ表示システム。
【請求項５】
前記注文品情報は、少なくとも注文品名、注文開始からの経過時間、同時購入数量及び受付番号により構成されていることを特徴とする請求項１乃至４の何れか一項に記載のオーダ表示システム。
【請求項６】
前記制御手段は、前記経過時間が所定の時間を超過したことを検知すると、当該表示部の表示色を他の色に変化させるか、又は表示を点滅させることを特徴とする請求項１乃至５の何れか一項に記載のオーダ表示システム。
【請求項７】
前記調理側注文表示器、及び配膳側注文表示器は、少なくとも画面表示をスクロールするためのスクロールボタンと、前記表示部の表示内容を直前の表示内容に戻す操作戻しボタンと、を備えて構成されていることを特徴とする請求項１乃至６の何れか一項に記載のオーダ表示システム。
【請求項８】
前記発注装置により発注された注文品情報をプリントアウトする印刷手段を備えたことを特徴とする請求項１乃至７の何れか一項に記載のオーダ表示システム。
【請求項９】
前記制御手段から出力される前記各注文表示器を制御するために必要な制御信号を複数のルートに分配する分配器を備えたことを特徴とする請求項１乃至８の何れか一項に記載のオーダ表示システム。
【請求項１０】
前記調理側注文表示器に、配膳完了表示状態の表示部を全て消去して、残りの表示部を順次昇格表示させるソートボタンを備えたことを特徴とする請求項１乃至９の何れか一項に記載のオーダ表示システム。
【請求項１１】
前記制御手段は、前記調理側注文表示器の画面外に表示しきれない注文品があるとき前記ソートボタンを点滅表示させることを特徴とする請求項１０に記載のオーダ表示システム。
【発明の詳細な説明】
【技術分野】
【０００１】
本発明は、食堂等の飲食業に供されるオーダ表示システムに関し、さらに詳しくは、調理側と配膳側に夫々備えられた注文表示器の操作ミスを低減する表示制御方法に関するものである。
【背景技術】
【０００２】
従来から、飲食店等では、人件費を削減するために店舗の入口に券売機を設置して、利用者が券売機により購入した食券から切り取った半券を並べる等することにより、厨房で働く人員が注文順序を確認し易くしていた。しかし、食事時間になって注文数が殺到した場合、注文ミスや配膳順序を誤る等の不手際が発生して利用者からクレームが発生する場合があった。このような人為的なミスを低減するために、券売機と直結した注文表示器を調理側と配膳側に夫々配置し、調理側と配膳側に夫々配された各人員が各注文表示器に表示された注文品についての情報に基づいて調理や配膳を行なうことにより、注文品に関する人為的なミスを低減するオーダ表示システムが開発されている。
【０００３】
図７は従来のオーダ表示システムの概略構成図である。このオーダ表示システム２００は、注文品に関して利用者が入力した注文品情報に基づいて注文品を発注する発注装置４０と、発注装置４０から出力された注文品情報を個別に表示する複数の表示部を調理の優先順位順に夫々配列した調理側注文表示器４３と、調理側注文表示器４３側の各表示部に対応して配列された表示部を備えた配膳側注文表示器４５と、各注文表示器４３、４５を構成する各表示部に同一順序にて同一の注文品に付いての情報を夫々表示すると共に優先順位にある特定の表示部に表示された注文品情報が消去されたときに次順位の表示部に表示された注文品情報を該優先順位にある表示部に順次昇格させるように表示変更を行う制御手段４１と、を備えている。
図８は従来の問題点を説明するための表示部の模式図であり、調理側注文表示器４３、及び配膳側注文表示器４５に設けられて操作されるたびに表示内容が変化する表示部Ｄ１〜Ｄ３・・・、Ｅ１〜Ｅ３・・・の各表示内容を示す。
【０００４】
ここでいう表示部とは、注文表示器４３、４５の表示領域における表示ポジションを指し示しており、例えば、注文表示器４３、４５がタッチパネリ式ディスプレイである場合に、プログラムに基づき配置設定される個々の表示の区画位置を指す。ここでは、注文品Ａ、Ｂ、Ｃが順次注文された場合を例としており、上位の表示部Ｄ１、及びＥ１から下位の表示部Ｄ２、Ｄ３、及びＥ２、Ｅ３に向けて注文順番に注文品Ａ、Ｂ、Ｃが表示される。このオーダ表示システム２００では、発注装置４０から注文品Ａ、Ｂ、Ｃがこの順序で発注されると、調理側注文表示器４３、及び配膳側注文表示器４５の各表示部には、図８の「発注」の欄に示すように順次表示される。その状態で注文品Ａの調理が完了すると、「調理完了」の欄に示すように調理側担当者は上位の表示部Ｄ１を押す。すると、調理側注文表示器４３の表示部Ｄ１の表示は注文品Ａの調理終了を示す表示状態（例えば、Ａの表示が緑から赤に変わる）に移行する。それと同時に配膳側注文表示器４５に設けた対応する上位の表示部Ｅ１の表示は注文品Ａの調理終了を表示（Ａの表示が緑から赤に変わる）する。
【０００５】
次に、「配膳完了」の欄に示すように、配膳側では注文品Ａを利用者に配膳して、配膳側注文表示器４５に設けた上位の表示部Ｅ１の注文品情報Ａが消去操作された際には次順位の表示部Ｅ２に表示されていた注文品Ｂについての情報を表示部Ｅ１に繰上げし昇格表示させる。これより下位の注文表示についても同様にシフトする。この際、調理側注文表示器４３の上位の表示部Ｄ１の対応する注文品情報Ａを直ちに自動消去して次順位の表示部Ｄ２に表示されていた次順位の注文品Ｂについての情報を表示部Ｄ１に昇格表示させて配膳が完了したことを表示していた。
【０００６】
しかしながら、配膳側４４の表示部Ｅ１を消去操作したときに調理側４２の対応する表示部Ｄ１の表示情報も直ちに消去されることになるために、調理側４２で操作ミスが発生することがあった。即ち、図８の「配膳完了」の欄に示すように、配膳側担当者が配膳を完了した注文品Ａの表示を消去するために配膳側注文表示器４５の表示部Ｅ１を消去操作すると、表示部Ｅ１の表示内容が消去されて各表示部Ｅ１〜Ｅ３・・・の表示内容が順次繰り上がる（その結果、表示部Ｅ１に注文品Ｂが表示される）。そのとき、調理側注文表示器４３の各表示部Ｄ１〜Ｄ３・・・の表示内容も同時に、且つ同様に繰り上がる。この際に、注文品Ｂの調理を終えた直後の調理側の担当者が表示部Ｄ１〜Ｄ３の表示内容が更新されていることに気づかずに、注文品Ｂを直前まで表示していた表示部Ｄ２を操作した場合には、表示部Ｄ２は既に注文品Ｃの表示に切り替わっているため、誤操作となり、配膳側の対応する表示部Ｅ２には未調理状態にある注文品Ｃが調理終了した旨が表示（Ｃの表示が緑から赤に変わる）されてしまうことになる。
【０００７】
また、特許文献１には、店舗システムに、レジスタ対応の注文表示器と、レジスタ対応の表示器に注文を表示するための表示コントローラを設け、レジスタ＃１〜＃ｎで客の注文を受け付けると、レジスタ番号・商品個数・商品名・レシート番号・注文形態等が、表示コントローラに送信され、表示コントローラは、送られて来た注文内容を、レジスタに対応する表示器に表示し、従業員は、レジスタに対応する表示器を見ながら注文商品を準備して客に渡す店舗システムについて開示されている。
【特許文献１】特開２００４−４６５１１公報
【発明の開示】
【発明が解決しようとする課題】
【０００８】
しかし、特許文献１に開示されている従来技術は、レジスタで入力された注文内容を表示部で見ながら注文品を準備するシステムであり、レジスタ側と表示部側が一方通行で、お互いに確認する手段を備えていないため、注文品ミスを事前に防止することができないといった問題がある。
本発明は、かかる課題に鑑みてなされたものであり、調理側と配膳側に夫々注文表示器を備え、夫々の表示・操作制御を独立に行なうことにより、注文品の進捗状況を互いに確認し合いながら表示状態を変化させて、注文ミスを低減して迅速な注文品の提供を可能とするオーダ表示システムを提供することを目的とする。
【課題を解決するための手段】
【０００９】
本発明はかかる課題を解決するために、請求項１は、注文品についての情報に基づいて調理と配膳の各進捗状況を表示するオーダ表示システムであって、前記注文品に関して入力された注文品情報に基づいて注文品を発注する発注装置と、前記発注装置から出力された前記注文品情報を個別に表示する複数の表示部を調理の優先順位順に夫々配列した調理側注文表示器、及び配膳側注文表示器と、前記各注文表示器を構成する各表示部に同一順序にて同一の注文品に付いての情報を夫々表示すると共に優先順位にある特定の表示部に表示された注文品情報が消去されたときに次順位の表示部に表示された注文品情報を該優先順位にある表示部に順次昇格させるように表示変更を行う制御手段と、を備え、前記制御手段は、前記調理側注文表示器に設けた上位の優先順位を示す上位の表示部が前記上位の優先順位にある注文品の調理終了を示す表示状態に移行したときに、前記配膳側注文表示器に設けた対応する上位の表示部は上位の優先順位にある注文品の調理終了を表示する一方で、該配膳側注文表示器に設けた上位の表示部の注文品情報が消去操作された際には次順位の注文品情報を昇格表示させ、この際、前記調理側注文表示器の前記上位の表示部の対応する注文品情報を直ちには消去せずに配膳が完了したことのみを表示するように制御することを特徴とする。
【００１０】
本発明の注文表示器は、調理側と配膳側に夫々備えられ、発注装置からの注文品情報を個別に表示する複数の表示部を調理の優先順位順に配列している。例えば、発注装置からＡの注文品が発生すると、各注文表示器に夫々設けられた表示部のうち、最後尾のオーダとして登録される。つまり、注文品情報が与えられていない最も上位の表示部に注文品Ａが同時に表示される。調理側では、その表示を見て調理を開始し、注文品Ａの調理が完了すると調理側担当者は当該注文品Ａが表示されている表示部を押し、注文品Ａを配膳口に出す。それと同時に配膳側注文表示器の対応する(注文品Ａ表示の)表示部は、調理完了を示す表示状態（例えば表示色が変わる）に移行しているので、配膳口では注文品Ａを確認して利用者に配膳する。その後、配膳が完了したことを調理側に連絡するために、配膳側担当者は配膳側注文表示器の対応する(注文品Ａ表示の)表示部を押す（消去操作する）。この操作に連動して配膳側注文表示器では当該表示部の表示内容(注文品Ａ表示)が消えてここには次順位であった注文品が昇格表示される。一方、調理側において注文品Ａを表示していた表示部は、注文品情報Ａを直ちには消去しないで、配膳が完了したことのみ（例えば、表示部内を黒一色にする）を表示するようにする。これにより、調理側と配膳側が注文品の調理完了と配膳完了をお互いに確認しあいながら進めてゆくことができ、注文ミスを未然に防止することができる。
【００１１】
請求項２は、配膳完了表示状態にある前記調理側注文表示器の上位の表示部を操作することにより、次順位の表示部に表示されていた注文情報を前記上位の表示部に昇格表示させることを特徴とする。
調理側は、配膳が完了したことを示す配膳完了表示状態にある表示部がある場合、調理側担当者がそれを見て確かに注文品が配膳されたことを確認すると、その表示部の表示は不要となる。そこで、本発明は配膳完了表示状態にある表示部が調理側にて操作されることによって、次順位の表示部に表示されていた注文情報を当該表示部に昇格表示させるものである。これにより、調理と配膳が完了した不要な表示を消去することができる。
【００１２】
請求項３は、前記調理側注文表示器、及び配膳側注文表示器に設けられた表示部を操作することにより、該表示部の表示色を操作手順に応じた色に変化させることを特徴とする。
調理側と配膳側は、夫々の注文表示器を見ながら注文品の調理又は配膳を進めてゆく。ここで、食事の時間帯には注文品が殺到するため、表示部が遠方からでも確認しやすい方が好ましい。そこで本発明では、夫々の表示部を操作することにより、当該表示部を操作手順に応じた色に変化させるものである。例えば、調理中の準備段階は緑、調理が完了したとき赤といった色に変化させることにより、進捗状態を容易に確認することができる。
【００１３】
請求項４は、前記注文表示器は、タッチパネルにより構成されていることを特徴とする。
本発明の注文表示器は、画面全体が表示可能な例えば、液晶により構成され、その表面にタッチパネル構造を構成する。これにより、表示部とスイッチ部が一体で構成され、表示内容の変更を容易に行うことができる。
【００１４】
請求項５は、前記注文品情報は、少なくとも注文品名、注文開始からの経過時間、同時購入数量及び受付番号により構成されていることを特徴とする。
表示部に表示する注文品情報は、その注文品を正しく認識するための最小限の情報が必要である。そこで本発明では、少なくとも注文品名、注文開始からの経過時間、同時購入数量及び受付番号を表示部内に表示するように制御するものである。これにより、注文品の進捗状況を経過時間により正確に管理することができる。
【００１５】
請求項６は、前記制御手段は、前記経過時間が所定の時間を超過したことを検知すると、当該表示部の表示色を他の色に変化させるか、又は表示を点滅させることを特徴とする。
注文を受けてから経過時間が所定の時間を経過しても調理が完了しない場合は、注文品のオーダが伝わっていないか、調理そのものが完了していない場合である。そこで、そのような場合に、調理側担当者に催促と警告を与えるために、表示部の表示色を他の色に変化させるか、又は表示が点滅するように制御するものである。これにより、調理の遅れや注文ミスを未然に防止することができる。
【００１６】
請求項７は、前記調理側注文表示器、及び配膳側注文表示器は、少なくとも画面表示をスクロールするためのスクロールボタンと、前記表示部の表示内容を直前の表示内容に戻す操作戻しボタンと、を備えて構成されていることを特徴とする。
注文表示器の表示画面には表示部の数と同じ数の注文品を一度に表示することができる。しかし、注文品が殺到すると、一つの表示画面上で表示しきれない場合がある。このようなとき、スクロールボタンを押して、画面をスクロールすることにより、現在のトータル注文数を把握できる。また、表示部の押し間違えが発生した場合、直前の表示内容に一動作で戻すために操作戻しボタンを備える。これにより、注文全体の把握と、操作の利便性を同時に実現することができる。
【００１７】
請求項８は、前記発注装置により発注された注文品情報をプリントアウトする印刷手段を備えたことを特徴とする。
調理側には注文表示器が少なくとも１台設置される。従って、調理側担当者が複数の場合は、１台の注文表示器を共有して使用することになる。その場合、注文表示器から距離が離れていると、その都度、注文表示器まで移動して内容を確認しなければならない。そこで本発明では、調理指示をプリントアウトする印刷手段（プリンタ等）を備えて、その印刷指示に基づいて調理するものである。これにより、手元で調理内容を確認することができる。
【００１８】
請求項９は、前記制御手段から出力される前記各注文表示器を制御するために必要な制御信号を複数のルートに分配する分配器を備えたことを特徴とする。
店舗が広い場合、１つの注文表示器では不足の場合がある。そこで本発明では、そのようなことを想定して、注文表示器を制御する制御信号を複数のルートに分配する分配器を備えるものである。これにより、店舗の大きさにより臨機応変に注文表示器を増設することができる。
【００１９】
請求項１０は、前記調理側注文表示器に、配膳完了表示状態の表示部を全て消去して、残りの表示部を順次昇格表示させるソートボタンを備えたことを特徴とする。
繁忙時には、調理側注文表示器に配膳完了表示がなされた表示部が複数個残ったままとなることがある。このとき調理側担当者が配膳完了表示状態の表示部を一つ一つ消去操作してゆくのは煩雑である。そこで本発明では、調理側注文表示器にソートボタンを設けて、このソートボタンをタッチすると、配膳完了表示状態の表示部を全て消去して、残りの表示部を順次昇格表示するように構成するものである。これにより、調理側担当者の繁忙時における操作の手間を解消することができる。
【００２０】
請求項１１は、前記制御手段は、前記調理側注文表示器の画面外に表示しきれない注文品があるとき前記ソートボタンを点滅表示させることを特徴とする。
繁忙時には、注文品が調理側注文表示器に表示しきれない場合がある。そのような場合、調理側担当者は忙しさのあまり、注文品を見過ごす虞がある。そこで本発明では、調理側注文表示器の画面外に表示しきれない注文品があるときソートボタンを点滅表示させるものである。これにより、調理側担当者にソートボタンを押すように促すことができる。
【発明の効果】
【００２１】
本発明によれば、注文品を発注する発注装置と、注文品情報を個別に表示する調理側注文表示器、及び配膳側表示器と、制御手段と、を備え、制御手段は、調理側注文表示器に設けた上位の優先順位を示す上位の表示部が上位の優先順位にある注文品の調理終了を示す表示状態に移行したときに、配膳側注文表示器に設けた対応する上位の表示部は上位の優先順位にある注文品の調理終了を表示する一方で、この配膳側注文表示器に設けた上位の表示部の注文品情報が消去操作された際には次順位の注文品情報を昇格表示させ、この際、調理側注文表示器の上位の表示部の対応する注文品情報を直ちには消去せずに配膳が完了したことのみを表示するように制御するので、注文品の調理進捗状況を注文表示器により互いに確認しながら表示状態を変化させて、注文ミスを低減して迅速な注文品の提供を行うことができる。
【発明を実施するための最良の形態】
【００２２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００２３】
図１は本発明の実施形態に係るオーダ表示システムの構成図である。このオーダ表示システム１００は、注文品についての情報に基づいて調理と配膳の各進捗状況を表示するオーダ表示システムであって、注文品に関して入力された注文品情報に基づいて注文品を発注する券売機（発注装置）１０、１１と、券売機１０、１１から出力された注文品情報を個別に表示する複数の表示部を調理の優先順位順に配列した調理側注文表示器１と、調理側注文表示器１側の各表示部に対応して配列された表示部を備えた配膳側注文表示器２と、各注文表示器１、２を構成する各表示部に同一順序にて同一の注文品に付いての情報を夫々表示すると共に優先順位にある表示部に表示された注文品情報が消去されたときに次順位の表示部に表示された注文品情報を優先順位にある表示部に順次昇格させるように表示変更を行う注文表示制御ＰＣ（以下、単にＰＣと呼ぶ）（制御手段）９と、券売機１０、１１により発注された注文品情報をプリントアウトするオーダリングプリンタ（印刷手段）６と、ＰＣ９から出力される各注文表示器１、２を制御するために必要な制御信号を複数のルートに分配する分配器３と、分配器３からの制御信号を外部の注文表示器に出力する外部出力端子４、５と、電源の瞬停によるＰＣ９の誤動作を防止するための無停電装置（ＵＰＳ）８と、を備えて構成されている。尚、ケーブル１６〜１９はＨＵＢ７を介してＰＣ９と接続されている。また、分配器３、外部出力端子４、５、オーダリングプリンタ６、及びＵＰＳ８は、必ずしも必要なものではなく、適宜、システム構成により選択されて使用される。但し、調理側と配膳側には注文表示器１、２が少なくとも夫々１台設置される。従って、調理人が複数の場合は、１台の注文表示器１を共有して使用することになる。その場合、注文表示器１から距離が離れていると、その都度、注文表示器１まで移動して内容を確認しなければならない。そこで、調理指示をプリントアウトするオーダリングプリンタ６を備えて、その印刷指示に基づいて調理するほうが、手元で調理内容を確認することができる。尚、ＰＣ９は、内部に備えられたメモリに記憶したプログラムに基づいて、ＣＰＵにより制御する構成である。
【００２４】
また、店舗が広い場合、調理側と配膳側に夫々１つの注文表示器を設置するだけでは効率が悪くなる場合がある。そこで本実施形態では、そのような場合を想定して、注文表示器を制御する制御信号を複数のルートに分配する分配器３を備えるものである。これにより、店舗の大きさにより臨機応変に注文表示器を増設することができる。
また、券売機は本実施形態では２台であるが、１台以上であればこの数に限定するものではない。また、本実施形態では、ＰＣ９と各注文表示器１、２間は、ＲＳ２３２回線１２、１３とＲＧＢケーブル１４、１５により接続されている。また、ＰＣ９と各券売機１０、１１、及びオーダリングプリンタ６間は、ＬＡＮケーブル１７〜１９により接続されている。
【００２５】
図２は注文表示器の表示部の配列の実施例を示す図である。尚、注文表示器の表示部の配列は、調理側注文表示器１と配膳側注文表示器２は同様の構成であるので、この実施例では、調理側注文表示器１の表示部として説明する。
この調理側注文表示器１は、注文順番に注文品２０件を５×４でボックス表示する。また、調理側注文表示器１は、全体がタッチパネル構造により構成され、各表示部内に表示する注文品情報は、注文品２３、注文開始からの経過時間２４、同時購入枚数２７及び受付番号２２により構成されている。また、画面表示をスクロールするためのスクロールボタン２５と、表示内容を直前の状態に戻す操作戻しボタン２６と、配膳完了表示状態の表示部を全て消去して、残りの表示部を順次昇格表示させるソートボタン２８と、を備えている。尚、表示部２０を上位（最優先順位の注文を表示する位置）として、表示部２１に向けて注文順番に注文品が表示される。例えば、表示部２０には、受付番号「１０１」、注文品「にゅうめんセット」、同時購入枚数「０１」、経過時間「００：００：５２」と表示されている。また、表示部２１には、受付番号「１０２」、注文品「神戸醤油ラーメン」、同時購入枚数「０１」、経過時間「００：００：５２」と表示されている。以下、同様にして券売機１０、１１から注文された注文品情報が「１０１」〜「１２０」まで注文順に各表示部内に表示される。尚、図２では、表示部２０が配膳完了を示す状態（表示内容はそのままで表示を暗くする）を示し、表示部２１は、調理完了状態を表示（例えば表示色を赤色にする）し、その他の表示部は調理未完了状態を表示（例えば表示色を緑色にする）している（詳細は図３、４により後述する）。
【００２６】
尚、本実施形態の注文表示器は、画面全体が表示可能な例えば、液晶表示器により構成され、その表面にタッチパネル構造を構成しているので、表示部とスイッチが一体で構成され、表示内容の変更を容易に行うことができる。
また、表示部に表示する注文品情報としては、その注文品を正しく認識するための最小限の情報が必要である。そこで本実施形態では、少なくとも注文品２３、注文開始からの経過時間２４、同時購入枚数２７及び受付番号２２を各表示部内に表示するように制御するものである。これにより、注文品の進捗状況を経過時間により正確に管理することができる。
また、注文表示器１の表示部には所定数の注文品を一度に表示することができる（本実施形態では２０件）。しかし、注文品が殺到すると、一つの表示画面上で表示しきれない場合がある。このようなとき、スクローロボタン２５ａ、又は２５ｂの何れかを押して、画面をスクロールすることにより、どのくらいの注文が来ているかを把握できる。また、表示部の押し間違えが発生した場合、元の表示内容に一動作で戻すために操作戻しボタン２６を備える。これにより、注文全体の把握と、操作の利便性を同時に実現することができる。
【００２７】
また、繁忙時には、調理側注文表示器１に配膳完了表示がなされた表示部が複数個残ったままとなることがある。このとき調理側担当者が配膳完了表示状態の表示部を一つ一つ消去操作してゆくのは煩雑である。そこで、調理側注文表示器１に「ソートボタン」２８を設けて、このソートボタン２８をタッチすると、配膳完了表示状態の表示部を全て消去して、残りの表示部を順次昇格表示するように構成する。これにより、調理側担当者の繁忙時における操作の手間を解消することができる。
また、繁忙時には、注文品が調理側注文表示器に表示しきれないため、調理側担当者は忙しさのあまり、注文品を見過ごす虞がある。そこで、調理側注文表示器１の画面外に表示しきれない注文品があるときソートボタン２８を点滅表示させるものである。これにより、調理側担当者にソートボタン２８を押すように促すことができる。
【００２８】
図３は本発明の表示部の模式図であり、調理側注文表示器１、及び配膳側注文表示器２に設けられて操作されるたびに表示内容が変化する表示部Ｆ１〜Ｆ３・・・、Ｇ１〜Ｇ３・・・の各表示内容を示す。ここでは、注文品Ａ、Ｂ、Ｃ・・・が順次注文された場合を例としており、上位の表示部Ｆ１、及びＧ１から下位の表示部Ｆ２、Ｆ３、及びＧ２、Ｇ３に向けて注文順番に注文品Ａ、Ｂ、Ｃが表示される。
【００２９】
図４（ａ）は本発明のオーダ表示システムを使用して一つの注文品を注文してから配膳が完了するまでの流れを示すフローチャートである。図３を参照して動作を説明する。このオーダ表示システム１００では、発注装置１０、１１から注文品Ａ、Ｂ、Ｃがこの順序で発注されると（Ｓ１）、調理側注文表示器１、及び配膳側注文表示器２の各表示部には、図３の「発注」の欄に示すように順次表示される（Ｓ２）。調理側では、表示部Ｆ１を見て注文品Ａが注文されていることがわかるので、注文品Ａの調理を開始する（Ｓ３）。その状態で注文品Ａの調理が完了すると（Ｓ４でＹＥＳ）、図３の「調理完了」の欄に示すように調理側担当者は上位の表示部Ｆ１を押す（Ｓ４）。すると、調理側注文表示器１の上位の表示部Ｆ１が上位の優先順位にある注文品Ａの調理終了を示す表示状態（例えば、Ａの表示が緑から赤に変わる）に移行する。その表示色を確認して調理側では、注文品Ａを配膳口に出す（Ｓ６）。それと同時に配膳側注文表示器２に設けた対応する上位の表示部Ｇ１は上位の優先順位にある注文品Ａの調理終了を表示（Ａの表示が緑から赤に変わる）する（Ｓ７）。
【００３０】
次に、配膳側では、ステップＳ７で注文品Ａの表示色が赤に変更したことを確認すると、配膳者が配膳口に行って注文品Ａであることを確認する（Ｓ８）。確認後、図３の「配膳完了」の欄に示すように、配膳側では注文品Ａを利用者に配膳して（Ｓ９）、配膳側注文表示器２に設けた上位の表示部Ｇ１の注文品情報Ａが消去操作された際には（Ｓ１０）、次順位の注文品Ｂについての情報を表示部Ｇ１に昇格表示させ（Ｓ１１）、この際、調理側注文表示器１の上位の表示部Ｆ１の対応する注文品情報Ａを直ちには消去せずに配膳が完了したことのみを表示する（Ｓ１２）。
次に調理側では配膳完了表示状態になっている表示を見て、配膳口に注文品Ａがないことを確認すると（Ｓ１３でＮＯ）、図３の「調理側確認」の欄に示すように、調理側では配膳完了表示状態にある調理側注文表示器１の上位の表示部Ｆ１を操作することにより（Ｓ１４）、次順位の表示部Ｆ２に表示されていた注文情報Ｂを上位の表示部Ｆ１に昇格表示させる（Ｓ１５）。このとき、配膳側注文表示器２の表示には変化がない。
【００３１】
即ち、本発明の注文表示器１、２は、調理側と配膳側に夫々備えられ、券売機１０、１１からの注文品情報を個別に表示する複数の表示部(図２)を調理の優先順位順に配列している。例えば、券売機１０、１１からＡの注文品が発生すると、各注文表示器１、２の上位の表示部Ｆ１、Ｇ１に注文品Ａが同時に表示される。調理側では、その表示を見て調理を開始し、注文品Ａの調理が完了すると上位の表示部Ｆ１を押し、注文品Ａを配膳口に出す。それと同時に配膳側注文表示器２の上位の表示部Ｇ１は、調理完了を示す表示状態（例えば表示色が緑から赤に変わる）に移行しているので、配膳口で注文品Ａを確認して利用者に配膳する。その後、配膳が完了したことを調理側に連絡するために、配膳側注文表示器２の上位の表示部Ｇ１を押す。配膳側ではそれにより、上位の表示部が消えて次の注文品Ｂが昇格表示される。一方、調理側の上位の表示部Ｆ１は、注文品情報Ａを直ちには消去しないで、配膳が完了したことのみを表示するようにする。これにより、調理側と配膳側が注文品の調理完了と配膳完了をお互いに確認しあいながら進めてゆくことができ、注文ミスを未然に防止することができる。
【００３２】
また、調理側は、配膳が完了したことを示す配膳完了表示状態にある表示部がある場合、それを見て確かに注文品が配膳されたことが確認できれば、その表示部の表示内容は不要となる、そこで、配膳完了表示状態にある表示部Ｆ１を操作することにより、次順位の表示部Ｆ２に表示されていた注文情報Ｂを上位の表示部Ｆ１に昇格表示させるものである。これにより、調理と配膳が完了した不要な表示を消去することができる。
また、調理側と配膳側の各担当者は、夫々の注文表示器を見ながら注文品の調理又は配膳を進めてゆくが、食事の時間帯には注文品が殺到するため、表示部が遠方からでも確認しやすい装置構成が好ましい。そこで本実施例では、夫々の表示部を操作することにより、操作手順に応じた色に変更するようにしている。例えば、調理中の準備段階は緑、調理が完了したとき赤といった色にすることにより、進捗状態を容易に確認することができる。
【００３３】
次に、変形実施例について図４（ｃ）を参照して説明する。図４（ａ）のステップＳ４において、調理が完了するまでの時間の経過状況について、図２の経過時間２４の表示内容を監視することにより、調理側に催促と警告を発するものである。即ち、券売機１０、１１により注文が発生してからタイマーをスタートさせることにより、経過時間２４を計時する。この時間は、注文品により、注文を受けてから調理が完了するまでの時間は略予測できる。従って、注文を受けてから経過時間が所定の時間を経過しても調理が完了しない場合は（ステップＳ２０でＹＥＳ）、注文品のオーダが伝わっていないか、調理そのものが完了していない場合である。そこで、そのような場合に、調理側に催促と警告を与えるために、表示部の表示色を他の色に変更するか、又は表示が点滅するように制御する（Ｓ２１）。これにより、調理の遅れや注文ミスを未然に防止することができる。
【００３４】
図５は、オーダリングプリンタに印字できなかった場合の表示部の図である。オーダリングプリンタ６が何らかの原因により印字できなくなると、エラー表示部３０に「プリンタエラー」が表示され、エラーが継続する場合（例えば、連続２０件以上）表示内容が「プリンタ停止」となり、以後、オーダリングプリンタ６への出力を停止する。また、「プリンタ停止」の表示をクリックするとオーダリングプリンタ６への出力が再開され、正常に印字できた場合は、表示を消去する。
図６は券売機で正常に券売できなかった場合のエラー表示の図である。券売機のプリンタが何らかの原因により券売できなかった場合、受付番号の代わりに「エラー」３１と表示する。これにより、券売機が故障していることを即座に判断することができる。
以上の実施形態では、配膳側に配膳担当者がいて、この担当者が配膳側注文表示器２を操作するものを説明したが、立ち食いそば店などの料金先払いセルフサービス飲食店にも適用可能であり、この場合は客が配膳側注文表示器２を操作することになる。
【図面の簡単な説明】
【００３５】
【図１】本発明の実施形態に係るオーダ表示システムの構成図である。
【図２】注文表示器の表示部の配列の実施例を示す図である。
【図３】本発明の調理側注文表示器、及び配膳側注文表示器に設けられて操作されるたびに表示内容が変化する表示部の各表示内容を示す図である。
【図４】（ａ）は本発明のオーダ表示システムを使用して一つの注文品を注文してから配膳完了までの流れを示すフローチャート、（ｂ）は変形実施例を示す部分フローチャートである。
【図５】オーダリングプリンタに印字できなかった場合の表示部の図である。
【図６】券売機で正常に券売できなかった場合のエラー表示の図である。
【図７】従来のオーダ表示システムの概略構成図である。
【図８】従来の問題点を説明するための表示部の模式図である。
【符号の説明】
【００３６】
１  調理側注文表示器、２  配膳側注文表示器、３  分配器、４、５  外部出力、６  オーダリングプリンタ、７  ＨＵＢ、８  ＵＰＳ、９  ＰＣ、１０、１１  券売機、１００  オーダ表示システム
【図１】
2008257556.tif 000003
【図２】
2008257556.tif 000004
【図３】
2008257556.tif 000005
【図４】
2008257556.tif 000006
【図５】
2008257556.tif 000007
【図６】
2008257556.tif 000008
【図７】
2008257556.tif 000009
【図８】
2008257556.tif 000010